(57)【要約】【課題】複数本のロープが捻れることなく同時にロープ掛け可能とする。【解決手段】乗場３から引き出した仮設ロープ１４をシーブ７に巻回した後、ガイド機構１５に連結し、さらに引き出してガイド機構１５をつり合いおもりプーリ１０の上方近傍まで下降させ、仮設ロープ１４の引き出し端を一度取り外し、つり合いおもりプーリ１０に巻回した後、再度ガイド機構１５に連結し、仮設ロープ１４を巻き戻してガイド機構１５を昇降路１の頂部近傍まで上昇させ、ガイド機構１５から前記引き出し端を再度取り外して乗場３まで引き回し、前記引き出し端と本設主ロープ１８の引き出し端とを接続部１７を用いて接続し、仮設ロープ１４を巻き戻し、接続部１７を乗場３から移動させ、つり合いおもりプーリ１０、反らせ車８、シーブ７及び乗りかごプーリ５を経て再度乗場３に戻し、乗場３に位置する本設主ロープ１８の両端をそれぞれ昇降路１の頂部に連結する。【選択図】図１
2015218040.tif 000002
【特許請求の範囲】
【請求項１】
主ロープに連結された乗りかごとつり合いおもりとが釣瓶式に連結されて昇降路内を昇降する２：１ローピングエレベータのロープ掛け装置であって、
前記主ロープと同数の本数の仮設ロープと、
前記仮設ロープが引き出し可能に巻回される仮設ロープドラムと、
前記仮設ロープドラムを駆動し、前記仮設ロープを引き出し又は巻き戻す仮設ロープ用ウインチと、
前記仮設ロープの引き出し端が連結されるとともに前記つり合いおもりのガイドレールに案内されて昇降するガイド機構と、
前記ガイド機構の水平姿勢を維持させるジャイロ装置と、
前記仮設ロープの引き出し端と本設の前記主ロープとが捻れない状態で連結する接続部と、
前記本設主ロープが引き出し可能に巻回される本設主ロープドラムと
を備えたことを特徴とする２：１ローピングエレベータのロープ掛け装置。
【請求項２】
請求項１に記載の２：１ローピングエレベータのロープ掛け装置であって、
前記仮設ロープは、前記主ロープよりも細径、軽量で同等の強度を有していることを特徴とする２：１ローピングエレベータのロープ掛け装置。
【請求項３】
請求項１又は２に記載の２：１ローピングエレベータのロープ掛け装置であって、
前記仮設ロープドラム、前記仮設ロープ用ウインチ及び前記主設主ロープドラムは乗場に設けられていることを特徴とする２：１ローピングエレベータのロープ掛け装置。
【請求項４】
一端が昇降路頂部に連結され、他端が垂下して乗りかごプーリに掛け回された後に昇降路頂部に設けられたシーブに巻き回された後、つり合いおもりプーリまで垂下して、このつり合いおもりプーリに巻き回された後、昇降路頂部に連結される２：１ローピングエレベータの主ロープ掛け方法であって、
乗場から引き出した仮設ロープをシーブに巻き回した後、つり合いおもり側ガイドレールにガイドされて昇降するガイド機構に連結する第１工程と、
前記仮設ロープをさらに引き出してガイド機構を前記つり合いおもりプーリの上方近傍まで下降させる第２工程と、
第２工程実施後、前記ガイド機構から前記仮設ロープの引き出し端を一度取り外し、前記つり合いおもりプーリに巻き回した後、再度ガイド機構に連結する第３工程と、
前記仮設ロープを巻き戻して前記ガイド機構を前記昇降路の頂部近傍まで上昇させる第４工程と、
第４工程終了時の状態で、前記ガイド機構から前記仮設ロープの引き出し端を再度取り外して前記乗場まで引き回し、前記仮設ロープの引き出し端と前記本設主ロープの引き出し端とを接続部を用いて接続する第５工程と、
前記仮設ロープを巻き戻し、前記接続部を前記乗場から移動させ、前記つり合いおもりプーリ、反らせ車、シーブ及び乗りかごプーリを通過した後に、再度前記乗場に戻す第６工程と、
前記乗場に位置する前記本設主ロープの両端をそれぞれ昇降路頂部に連結する第７工程と、
を含むことを特徴とする２：１ローピングエレベータの主ロープ掛け方法。
【請求項５】
請求項４に記載の２：１ローピングエレベータの主ロープ掛け方法であって、
前記乗場に、仮設ロープドラム、仮設ロープ用ウインチ及び主設主ロープドラムが設けられ、
前記第１工程では、前記仮設ロープドラムから仮設ロープを引出し、
前記第２工程では、前記仮設ロープドラムを前記仮設ロープ用ウインチによって駆動し、前記仮設ロープを引き出して前記ガイド機構を下降させ、
前記第６工程では、前記仮設ロープ用ウインチを巻き戻すことにより前記本設主ロープドラムに巻回された本設主ロープの前記接続部を再度前記乗場に戻す
ことを特徴とする２：１ローピングエレベータの主ロープ掛け方法。
【請求項６】
請求項４又は５に記載の２：１ローピングエレベータの主ロープ掛け方法であって、
前記第２及び第４工程で前記ガイド機構が昇降するときに、当該ガイド機構の水平姿勢を維持するジャイロ装置を備えていることを特徴とする２：１ローピングエレベータの主ロープ掛け方法。
【請求項７】
請求項４ないし６のいずれか１項に記載の２：１ローピングエレベータの主ロープ掛け方法であって、
前記第５工程において、前記接続部で前記仮設ロープと前記本設主ロープとが捻れないように、両者を縒り戻し機構によって回転可能に連結することを特徴とする２：１ローピングエレベータの主ロープ掛け方法。
【発明の詳細な説明】
【技術分野】
【０００１】
本発明は、高層ビルに設置される高階床エレベータあるいは機械室レスエレベータなどに設置される２:１ローピングエレベータの主ロープ掛け装置及び当該装置を使用した主ロープ掛け方法に関する。
【背景技術】
【０００２】
通常、２：１ローピングエレベータにロープを掛ける場合、ロープ端末を塔内側に下ろしていくと、つり合いおもりのプーリ通過後にロープ端末を揚重する必要があって作業効率が悪いため、ロープ端末をＵの字で降ろした後、つり合いおもりのプーリにロープを掛ける工法が一般的である。このような一般的な工法として、例えば特開平１１−１８９３７７号公報に記載された技術が公知である。
【０００３】
この公知技術では、所定の階床に設置したドラムから新設用ロープを繰り出して乗りかごのプーリ及び機械室内のシーブに巻掛けた後、主ロープの先端部をロープ縒り戻し機構付きシンブルロットを介して機械室床に固定し、ロープの中間部のＵ字状部分を、つり合いおもり用のガイドレールに移動可能に設けた主ロープ装着治具により案内しながらつり合いおもりへ向けて降下させるようになっている。
【先行技術文献】
【特許文献】
【０００４】
【特許文献１】特開平１１−１８９３７７号公報
【発明の概要】
【発明が解決しようとする課題】
【０００５】
前記特許文献１に示した技術は、エレベータの主ロープ掛け時に、ロープ端末をＵの字で縒りを生じさせないように吊り降ろすものであるが、１本ずつロープ掛けを行うため、掛け作業に時間がかかる場合があった。
【０００６】
また、ロープを吊り降ろす際に発生するロープの縒りをとる機構が設けられているが、複数本のロープをＵ字で吊り降ろす際にお互いのロープが捻れて絡み付いてしまう可能性があった。
【０００７】
そこで、本発明が解決しようとする課題は、複数本の主ロープが捻れることなく、同時にロープ掛け可能とする。
【課題を解決するための手段】
【０００８】
前記課題を解決するため、本発明は、一端が昇降路頂部に連結され、他端が垂下して乗りかごプーリに掛け回された後に昇降路頂部に設けられたシーブに巻き回された後、つり合いおもりプーリまで垂下して、このつり合いおもりプーリに巻き回された後、昇降路頂部に連結される２：１ローピングエレベータの主ロープ掛け方法において、乗場から引き出した仮設ロープをシーブに巻き回した後、つり合いおもり側ガイドレールにガイドされて昇降するガイド機構に連結する第１工程と、前記仮設ロープをさらに引き出してガイド機構を前記つり合いおもりプーリの上方近傍まで下降させる第２工程と、第２工程実施後、前記ガイド機構から前記仮設ロープの引き出し端を一度取り外し、前記つり合いおもりプーリに巻き回した後、再度ガイド機構に連結する第３工程と、前記仮設ロープを巻き戻して前記ガイド機構を前記昇降路の頂部近傍まで上昇させる第４工程と、第４工程終了時の状態で、前記ガイド機構から前記仮設ロープの引き出し端を再度取り外して前記乗場まで引き回し、前記仮設ロープの引き出し端と前記本設主ロープの引き出し端とを接続部を用いて接続する第５工程と、前記仮設ロープを巻き戻し、前記接続部を前記乗場から移動させ、前記つり合いおもりプーリ、反らせ車、シーブ及び乗りかごプーリを通過した後に、再度前記乗場に戻す第６工程と、前記乗場に位置する前記本設主ロープの両端をそれぞれ昇降路頂部に連結する第７工程と、を含むことを特徴とする。なお、前記以外の課題、構成及び効果は、後述の実施形態における説明で明らかにされる。
【発明の効果】
【０００９】
本発明によれば、複数本のロープが捻れることなく、同時にロープ掛けを行うことができる。
【図面の簡単な説明】
【００１０】
【図１】本発明の実施形態に係る２：１ローピングのエレベータの主ロープ掛け方法を示す説明図である。
【図２】図１における本設ロープと仮設ロープの接続部を拡大して示す要部拡大図である。
【発明を実施するための形態】
【００１１】
以下、本発明の実施形態について、図面を参照しながら説明する。
【００１２】
図１は、本実施形態に係るロープ掛け装置を備えた２：１ローピングエレベータの主ロープ掛け方法を示す説明図である。
【００１３】
図１において、本実施形態に係るロープ掛け装置５０を備えたエレベータ装置である２：１ローピングエレベータ１００は、主ロープ１８に連結された乗りかご４とつり合いおもり９とが釣瓶式に昇降路１内を昇降する。乗りかご４とつり合いおもり９とは各々第１及び第２のガイドレール６，１１にガイドされて昇降する。第１及び第２のガイドレール６，１１はそれぞれ第１及び第２のブラケット１２ａ，１２ｂを介して昇降路１の所定位置に固定されている。
【００１４】
主ロープ１８は、一端がロープエンド２４に連結され、他端がシーブ７及び反らせ車８に巻き回されている。すなわち、主ロープ１８の一端は昇降路１の頂部の機械室２に設けられた頂部ビーム２３に設けられたロープエンド２４に連結されている。他端はロープエンド２４から垂下され、乗りかごプーリ５に掛け回された後に、昇降路１の頂部に設けられたシーブ７及び反らせ車８に巻き回されている。
【００１５】
シーブ７は図示しないモータ軸に連結されており、この図示しないモータの駆動力を主ロープ１８を介して乗りかご４及びつり合いおもり９に伝達している。反らせ車８に巻き回された後の主ロープ１８の他端は、つり合いおもりプーリ１０まで垂下され、つり合いおもりプーリ１０に巻き回された後、機械室２に設けられた頂部ビーム２３に連結され(不図示)、ローピングされている。
【００１６】
本実施形態に係るロープ掛け装置５０は、仮設ロープ１４、仮設ロープドラム１３、仮設ロープ用ウインチ２０、ガイド機構１５、ジャイロ装置１６、接続部１７及び本設主ロープドラム１９を備えている。
【００１７】
仮設ロープ１４は、主ロープ１８と同数の本数が設けられ主ロープ１８よりも細径、軽量且つ同等の強度を有する。仮設ロープドラム１３は、乗場３に設けられ、仮設ロープ１４が引き出し可能に巻回されている。仮設ロープ用ウインチ２０は、乗場３に設けられ、仮設ロープドラム１３に正転方向の回転力を加えることにより仮設ロープ１４を仮設ロープドラム１３から引き出す。また、逆転方向の回転力を加えることにより仮設ロープ１４を巻き戻す。
【００１８】
ガイド機構１５は、仮設ロープ１４の引き出し端１４ａが連結され、ともにつり合いおもり９の第２のガイドレール１１に案内されて昇降する。ジャイロ装置１６はガイド機構１５の水平姿勢を維持する機能を有する。すなわち、ガイド機構１５は昇降する際に、ジャイロ機構１６によって水平姿勢を維持した状態で移動する。接続部１７は、仮設ロープ１４の引き出し端１４ａと本設の主ロープ１８のストランド２１の引き出し端２１ａとを、両者が捻れない状態で連結する。また、本設主ロープドラム１９には、本設主ロープ１８が引き出し可能に巻回されている。
【００１９】
なお、図２に示すように接続部１７は、仮設ロープ１４と本設主ロープ１８とが捻れないように回転する縒り戻し機構(サルカン)２２を備え、この縒り戻し機構２２に、仮設ロープ１４の引き出し端１４ａと主ロープ１８の端部から露出したストランド２１の引き出し端２１ａが連結されている。
【００２０】
前記ロープ掛け装置５０を用いてロープを掛ける場合には、以下のような手順で作業を行う。
i）仮設ロープ１４の引き出し端１４ａを乗場３に設けた仮設ロープドラム１３より引き出す。
ii）引き出された仮設ロープ１４の引き出し端１４ａをシーブ７及び反らせ車８に巻き回した後、昇降路１の頂部近傍に位置させた第２のガイドレール１１に案内されて昇降するガイド機構１５に連結する。［ｉ）＋ii）：第１工程］
iii）仮設ロープ用ウインチ２０を正転させて仮設ロープ１４を引き出し、ガイド機構１５をつり合いおもりプーリ１０の上方近傍まで下降させる。［第２工程］
iv）一度ガイド機構１５から仮設ロープ１４の引き出し端１４ａを取り外して、つり合いおもりプーリ１０に巻き回す。
v）引き出し端１４ａをつり合いおもりプーリ１０に巻き回した後、再度ガイド機構１５に連結する。［iii）＋iv）：第３工程］
vi）仮設ロープ用ウインチ２０を逆転させて仮設ロープ１４を巻き戻してガイド機構１５を前記昇降路１の頂部近傍まで上昇させる。［第４工程］
vii）前記頂部近傍まで上昇させた状態で、再度ガイド機構１５から仮設ロープ１４の引き出し端１４ａを取り外して乗場３まで引き回し、これらの仮設ロープ１４の引き出し端１４ａと本設主ロープ１８の本設主ロープドラム１９からの引き出し端であるストランド２１の引出し端部２１ａとを、前記接続部１７を用いてその本数分接続する。［第５工程］
viii）ガイド機構１５を第２のガイドレール１１から取り外し、撤去する。
ix）仮設ロープ用ウインチ２０を逆転させて仮設ロープ１４を巻き戻し、接続部１７が乗場３からつり合いおもりプーリ１０、反らせ車８、シーブ７及び乗りかごプーリ５に巻き回された後に、再度乗場３に戻るまで、前記仮設ロープ用ウインチ２０の逆転駆動動作を継続させる。
x）このような手順で作業を行い、接続部１７が再度乗場３に戻れば、複数本の本設の主ロープ１８は、そのロープエンドを除いてロープ掛けが完了する。［viii）＋ix）＋x）：第６工程］
xi）最後に、乗場３に位置する主ロープ１８の両端をそれぞれ昇降路頂部の機械室２に設けられた頂部ビーム２３に連結する。［第７工程］
これにより、全ての主ロープ１８のロープ掛け作業が完了する。
【００２１】
以上のように、本実施形態によれば、以下のような効果を奏する。なお、前記実施形態における効果の説明では、本実施形態の各部について、特許請求の範囲における各構成要素をかっこ書きで示し、若しくは参照符号を付し、両者の対応関係を明確にした。
【００２２】
（１）主ロープ１８に連結された乗りかご４とつり合いおもり９とが釣瓶式に連結されて昇降路１内を昇降する２：１ローピングエレベータのロープ掛け装置であって、
前記主ロープ１８と同本数の仮設ロープ１４と、
前記仮設ロープ１４が引き出し可能に巻回される仮設ロープドラム１３と、
前記仮設ロープドラム１３を駆動し、前記仮設ロープ１４を引き出し又は巻き戻す仮設ロープ用ウインチ２０と、
前記仮設ロープ１４の引き出し端１４ａが連結されるとともに前記つり合いおもり９のガイドレール１１に案内されて昇降するガイド機構１５と、
前記ガイド機構１５の水平姿勢を維持させるジャイロ装置１６と、
前記仮設ロープ１４の引き出し端１４ａと本設の前記主ロープ１８とが捻れない状態で連結する接続部１７と、
前記本設主ロープ１８が引き出し可能に巻回される本設主ロープドラム１９と
を備えているので、仮設ロープ１４をガイド機構１５を使用してガイドすることにより複数本の主ロープ１８を一度にロープ掛けできるため、迅速に効率よくロープ掛け作業を完了することができる。さらに、ガイド機構１５の水平姿勢を保つように機能するジャイロ装置１６を備えたので、仮設ロープ１４の捻れを防止することが可能となり、これにより仮設ロープ１４に連結される本設の主ロープ１８の捻れも防止することができる。
【００２３】
（２）前記仮設ロープ１４は、前記主ロープ１８よりも細径、軽量で同等の強度を有しているので、つり合いおもりプーリ１０、反らせ車８、シーブ７、及び乗りかごプーリ５を通過する際も、円滑に通過させることができ、作業の効率化を図ることができる。
【００２４】
（３）前記仮設ロープドラム１３、前記仮設ロープ用ウインチ２０及び前記主設主ロープドラム１９は乗場３に設けられているので、乗場３で仮設ロープドラム１３、仮設ロープ用ウインチ２０及び主設主ロープドラム１９の操作を行うことが可能となり、作業性の向上を図ることができる。
【００２５】
（４）一端が頂部ビーム２３のロープエンド２４（昇降路頂部）に連結され、他端が垂下して乗りかごプーリ５に掛け回された後に頂部ビーム２３（昇降路頂部）に設けられたシーブ７に巻き回された後、つり合いおもりプーリ１０まで垂下して、このつり合いおもりプーリ１０に巻き回された後、頂部ビーム２３（昇降路頂部）に連結される２：１ローピングエレベータ１００の主ロープ掛け方法において、
乗場３から引き出した仮設ロープ１４をシーブ７に巻き回した後、つり合いおもり側ガイドレール１１にガイドされて昇降するガイド機構１５に連結する第１工程と、
前記仮設ロープ１４をさらに引き出してガイド機構１５を前記つり合いおもりプーリ１０の上方近傍まで下降させる第２工程と、
第２工程実施後、前記ガイド機構１５から前記仮設ロープ１４の引き出し端１４ａを一度取り外し、前記つり合いおもりプーリ１０に巻き回した後、再度ガイド機構１５に連結する第３工程と、
前記仮設ロープ１４を巻き戻して前記ガイド機構１５を前記昇降路１の頂部ビーム２３（頂部）近傍まで上昇させる第４工程と、
第４工程終了時の状態で、前記ガイド機構１５から前記仮設ロープ１４の引き出し端１４ａを再度取り外して前記乗場３まで引き回し、前記仮設ロープ１４の引き出し端１４ａと前記本設主ロープ１８のストランド２１の引き出し端２１ａ（引き出し端）とを接続部１７を用いて接続する第５工程と、
前記仮設ロープ１４を巻き戻し、前記接続部１７を前記乗場３から移動させ、前記つり合いおもりプーリ１０、反らせ車８、シーブ７及び乗りかごプーリ５を通過した後に、再度前記乗場３に戻す第６工程と、
前記乗場３に位置する前記本設主ロープ１８の両端をそれぞれ頂部ビーム２３（昇降路頂部）に連結する第７工程と、
を含むので、仮設ロープ１４をガイド機構１５を使用してガイドすることにより複数本の主ロープ１８を一度にロープ掛けできるため、迅速に効率よくロープ掛け作業を完了することができる。
【００２６】
（５）前記第２及び第４工程で前記ガイド機構１５が昇降するときに、当該ガイド機構１５の水平姿勢を維持するジャイロ装置１６を備えているので、仮設ロープ１４の捻れを防止することが可能となり、これにより仮設ロープ１４に連結される本設の主ロープ１８の捻れも防止することができる。
【００２７】
（６）前記第５工程において、前記接続部１７で前記仮設ロープ１４と前記本設主ロープ１８とが捻れないように、両者の端部である引き出し端１４ａ，２１ａをサルカン２２（縒り戻し機構）によって回転可能に連結するので、仮設ロープ１４と主ロープ１８間の捻れを防止することが可能となり、これにより仮設ロープ１４に連結される本設の主ロープ１８の捻れも防止した状態でロープ掛け作業を完了することができる。
【００２８】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００２９】
３  乗場
４  乗りかご
５  乗りかごプーリ
７  シーブ
８  反らせ車
９  つり合いおもり
１０  つり合いおもりプーリ
１１  ガイドレール
１３  仮設ロープドラム
１４  仮設ロープ
１４ａ，２１ａ  引き出し端
１５  ガイド機構
１６  ジャイロ装置
１７  接続部
１８  主ロープ
１９  主設主ロープドラム
２０  仮設ロープ用ウインチ
２２  サルカン（縒り戻し機構）
２３  頂部ビーム（昇降路頂部）
２４  ロープエンド
５０  ロープ掛け装置
１００  ２：１ローピングエレベータ
【図１】
2015218040.tif 000003
【図２】
2015218040.tif 000004